(57)【要約】  【課題】本発明は、装置の動作完了後における原稿や複写済み用紙の取り忘れを防ぐための報知において、ユーザーが一時的に装置から離れたと判断された場合とユーザーが完全に立ち去ったあるいは交代したと判断される場合とで異なった報知を行うことが可能な画像形成装置を提供することを目的とする。  【解決手段】本発明に係る実施形態の複写機１は、複写動作完了後において、原稿取込部１１の原稿、ユーザーの複写機１からの立ち去りあるいは交代、および排紙トレイ１６１上複写済み用紙の有無が検出され、その検出パターンに応じて、ユーザーが複写機１から完全に立ち去ったあるいは交代した場合、あるいはユーザーが一時的に複写機１から離れた場合のいずれであるか判断し、一時的に離れたと判断される場合には、ユーザーが完全に立ち去ったあるいは交代したと判断される場合よりも弱い報知が行われる構成とされている。  【選択図】      図２
2006011026.tif 000002
【特許請求の範囲】
【請求項１】
原稿画像を取り込んで画像データを生成する原稿取込部と、該原稿取込部の原稿の有無を検出する原稿検出手段と、前記画像データに基づいて用紙への画像出力を行う画像形成部と、該画像形成部により画像が形成された用紙の排紙先と成る排紙部と、該排紙部の画像形成済み用紙の有無を検出する用紙検出手段と、ユーザーの装置からの立ち去りまたは交代を検出するユーザー検出手段と、を有して成る画像形成装置において、
前記原稿検出手段、前記用紙検出手段および前記ユーザー検出手段の検出結果が、
それぞれ原稿有、画像形成済み用紙無、およびユーザーの装置からの立ち去り有または交代有であった場合には、第１の報知強度で、原稿の取り忘れがある旨の報知を行い、
それぞれ原稿有、画像形成済み用紙有、およびユーザーの装置からの立ち去り有または交代有であった場合には、前記第１の報知強度よりも弱い第２の報知強度で、原稿の取り忘れがある旨、または、原稿および画像形成済み用紙の取り忘れがある旨の報知を行う報知手段を有して成ることを特徴とする画像形成装置。
【請求項２】
原稿画像を取り込んで画像データを生成する原稿取込部と、該原稿取込部の原稿の有無を検出する原稿検出手段と、前記画像データに基づいて用紙への画像出力を行う画像形成部と、該画像形成部により画像が形成された用紙の排紙先と成る排紙部と、該排紙部の画像形成済み用紙の有無を検出する用紙検出手段と、ユーザーの装置からの立ち去りまたは交代を検出するユーザー検出手段と、を有して成る画像形成装置において、
前記原稿検出手段、前記用紙検出手段および前記ユーザー検出手段の検出結果が、
それぞれ原稿無、画像形成済み用紙有、およびユーザーの装置からの立ち去り有または交代有であった場合には、第１の報知強度で、画像形成済み用紙の取り忘れがある旨の報知を行い、
それぞれ原稿有、画像形成済み用紙有、およびユーザーの装置からの立ち去り有または交代有であった場合には、前記第１の報知強度よりも弱い第２の報知強度で、画像形成済み用紙の取り忘れがある旨、または、原稿および画像形成済み用紙の取り忘れがある旨の報知を行う報知手段を有して成ることを特徴とする画像形成装置。
【請求項３】
前記報知手段は、音声の出力を行うものであって、該音声の出力の内容、音量、音の長さおよび音質の少なくともいずれか１つを変更することにより、前記第１の報知強度および前記第２の報知強度を変化させることを特徴とする請求項１または請求項２に記載の画像形成装置。
【請求項４】
前記報知手段は、視覚的な出力を行うものであって、該視覚的な出力の内容、色相、明度および彩度の少なくともいずれか１つを変更することにより、前記第１の報知強度および前記第２の報知強度を変化させることを特徴とする請求項１または請求項２に記載の画像形成装置。
【発明の詳細な説明】
【技術分野】
【０００１】
本発明は、複写機、ファクシミリ等の画像形成装置に関するものであり、特に、その装置の動作完了後における原稿および印刷済み用紙の取り忘れ防止技術に関するものである。
【背景技術】
【０００２】
従来より、画像形成装置の動作完了後において、原稿の取り忘れを防止するため、ユーザーが装置から立ち去ったあるいはユーザーが代わったにもかかわらず複写台上に原稿が残っていると検出された場合には、原稿の取り忘れがあることを音声メッセージで報知を行う画像形成装置が開示・提案されている（例えば、特許文献１を参照）。
【０００３】
また、同じく特許文献１では、複写済み用紙の取り忘れを防止するために、装置の動作完了後に、ユーザーが装置から立ち去ったあるいはユーザーが代わったにもかかわらず排出トレイやソータ内に複写済み用紙が残っていると検出された場合には、複写済み用紙の取り忘れがあることを音声メッセージで報知を行う画像形成装置が開示・提案されている。
【特許文献１】特開２０００−２０１２４５号公報
【発明の開示】
【発明が解決しようとする課題】
【０００４】
確かに、上記構成から成る画像形成装置であれば、画像形成装置の動作完了後において、原稿や複写済み用紙の取り忘れを防止することができる。
【０００５】
しかしながら、特許文献１では、ユーザーが原稿を取り忘れたのではなく、一時的に装置から離れた場合でも、装置から完全に立ち去ったあるいは交代した場合と区別することなく同様な音声メッセージが出力されるため、その音声メッセージからユーザーが一時的に離れた場合、あるいはユーザーが完全に立ち去ったあるいは交代した場合のいずれのものであるか判断することができなかった。また、一時的に装置から離れたユーザーは、原稿を取り忘れたという印象を受けしまい、一時的に装置から離れたユーザーに対して配慮が欠ける構成となっていた。
【０００６】
本発明は、上記の問題点に鑑み、装置の動作完了後における原稿や印刷済み用紙の取り忘れを防ぐための報知において、ユーザーが一時的に装置から離れたと判断された場合とユーザーが完全に立ち去ったあるいは交代したと判断される場合とで異なった報知を行うことが可能な画像形成装置を提供することを目的とする。
【課題を解決するための手段】
【０００７】
上記目的を達成するために、本発明に係る画像形成装置は、原稿画像を取り込んで画像データを生成する原稿取込部と、該原稿取込部の原稿の有無を検出する原稿検出手段と、前記画像データに基づいて用紙への画像出力を行う画像形成部と、該画像形成部により画像が形成された用紙の排紙先と成る排紙部と、該排紙部の画像形成済み用紙の有無を検出する用紙検出手段と、ユーザーの装置からの立ち去りまたは交代を検出するユーザー検出手段と、を有して成り、前記原稿検出手段、前記用紙検出手段および前記ユーザー検出手段の検出結果が、それぞれ原稿有、画像形成済み用紙無、およびユーザーの装置からの立ち去り有または交代有であった場合には、第１の報知強度で、原稿の取り忘れがある旨の報知を行い、それぞれ原稿有、画像形成済み用紙有、およびユーザーの装置からの立ち去り有または交代有であった場合には、前記第１の報知強度よりも弱い第２の報知強度で、原稿の取り忘れがある旨、または、原稿および画像形成済み用紙の取り忘れがある旨の報知を行う報知手段を有して成る構成とするとよい。
【０００８】
また、本発明に係る画像形成装置は、原稿画像を取り込んで画像データを生成する原稿取込部と、該原稿取込部の原稿の有無を検出する原稿検出手段と、前記画像データに基づいて用紙への画像出力を行う画像形成部と、該画像形成部により画像が形成された用紙の排紙先と成る排紙部と、該排紙部の画像形成済み用紙の有無を検出する用紙検出手段と、ユーザーの装置からの立ち去りまたは交代を検出するユーザー検出手段と、を有して成り、前記原稿検出手段、前記用紙検出手段および前記ユーザー検出手段の検出結果が、それぞれ原稿無、画像形成済み用紙有、およびユーザーの装置からの立ち去り有または交代有であった場合には、第１の報知強度で、画像形成済み用紙の取り忘れがある旨の報知を行い、それぞれ原稿有、画像形成済み用紙有、およびユーザーの装置からの立ち去り有または交代有であった場合には、前記第１の報知強度よりも弱い第２の報知強度で、画像形成済み用紙の取り忘れがある旨、または、原稿および画像形成済み用紙の取り忘れがある旨の報知を行う報知手段を有して成る構成とするとよい。
【０００９】
また、上記構成から成る画像形成装置の前記報知手段は、音声の出力を行うものであって、該音声の出力の内容、音量、音の長さおよび音質の少なくともいずれか１つを変更することにより、前記第１の報知強度および前記第２の報知強度を変化させる構成とするとよい。
【００１０】
また、上記構成から成る画像形成装置の前記報知手段は、視覚的な出力を行うものであって、該視覚的な出力の内容、色相、明度および彩度の少なくともいずれか１つを変更することにより、前記第１の報知強度および前記第２の報知強度を変化させる構成とするとよい。
【発明の効果】
【００１１】
上記したように、本発明に係る画像形成装置であれば、装置の動作完了後における原稿や複写済み用紙の取り忘れを防ぐことが可能に成るとともに、原稿や印刷済み用紙の取り忘れを防ぐための報知において、装置を使用していたユーザーが一時的に装置から離れた場合と、該ユーザーが完全に立ち去ったあるいは交代した場合と、で異なった報知を行うことが可能となり、ユーザーはいずれの場合の報知であるのか判断することが可能となる。
【発明を実施するための最良の形態】
【００１２】
以下では、本発明を複写機に適用した場合を例に挙げて説明を行う。図１は本発明に係る複写機の要部構成を示すブロック図であり、図２は本発明に係る複写機の要部構造を模式的に示す縦断面図である。本実施形態の複写機１は、両図に示すように、装置全体の動作を制御する中央演算処理装置１０（以下、ＣＰＵ［Central Processing Unit］１０と呼ぶ）と、原稿を自動搬送し、搬送された原稿の画像を取り込んで画像データを生成する原稿取込部１１と、操作手段（テンキーやタッチパネルなど）と表示手段（液晶ディスプレイなど）から成る操作表示部１２と、画像データに基づいて用紙への画像出力を行う画像形成部１３（プリンタヘッドや感光ドラムから成るプリント部１３１と、該プリント部１３１で得られた画像出力を用紙に定着させる定着部１３２とを含む）と、画像形成部１３に給紙を行う給紙部１４と、各種制御プログラムおよび報知に関する情報等が格納されたＲＯＭ［Read Only Memory］やワーク領域として用いられるＲＡＭ［Random Access Memory］から成るメモリ部１５と、複写済み用紙の排紙先と成る排紙部１６と、ユーザーへの報知手段（音源回路やスピーカーなど）から成るメッセージ出力部１７と、ユーザーの複写機１からの立ち去りまたはユーザーの交代を検出するユーザー検出部１８と、を有して成る。
【００１３】
ＣＰＵ１０は、装置全体の動作を制御するほか、後ほど詳細に説明するユーザーの原稿や複写済み用紙の取り忘れを防ぐための報知に関する処理を行う。
【００１４】
給紙部１４は、画像形成部１３への給紙元となる複数段（本実施形態では３段）の用紙収納部１４１と、各用紙収納部１４１から画像形成部１３への共通した用紙搬送経路となる用紙搬送部１４２と、を有して成る。
【００１５】
原稿取込部１１は、原稿の自動搬送を行う原稿搬送部１１０と、原稿が配置され、原稿画像取込手段による原稿画像の取込領域と成る原稿画像取込窓１１６と、原稿画像取込窓１１６上の原稿の有無を検知する取込窓センサ１１５と、を有して成る。
【００１６】
また、原稿搬送部１１０は、原稿の自動搬送を行う際に原稿がセットされる原稿台１１１と、原稿台１１１上の原稿の有無を検知する原稿台センサ１１２と、原稿台１１１に配置された原稿を搬送する給送ローラ１１３と、原稿画像の取り込みが完了した原稿の排出先と成る原稿排出トレイ１１９と、搬送ローラ１１３により搬送されてきた原稿を原稿画像取込窓１１６並びに原稿排出トレイ１１９に搬送する搬送ベルト１１４と、搬送ベルト１１４により搬送されてきた原稿を原稿排出トレイ１１９に排出する排出ローラ１１７と、原稿排出トレイ１１９上の原稿の有無を検知する排出原稿センサ１１８と、を有して成る。
【００１７】
排紙部１６は、複写済みの用紙が排紙される排紙トレイ１６１と、排紙トレイ１６１上の複写済み用紙の有無を検知する排紙センサ１６２と、を有して成る。
【００１８】
なお、上記構成から成る複写機１の排紙トレイ１６１の代わりに、出力ソートからステイプル、さらにはパンチ、折曲げまでの後処理を一括して行うことで、生産性の向上を図ることが可能となる複数段のトレイ部やソータ部、及びステイプル部、パンチ部、折曲げ部などを有して成るフィニッシャを取り付けた構成としてもよい。この場合には、複写済み用紙の排紙先となる各トレイや各ソータに、複写済み用紙の有無を検知する排紙センサを設けるよい。
【００１９】
メッセージ出力部１７は、ＣＰＵ１０によりメモリ部１５に記憶された報知内容を音により出力するスピーカー１７１を有して成る。
【００２０】
ユーザー検出部１８は、装置前面に備えられ、所定の検知領域内に侵入したユーザーを検知するユーザー検知センサ１８１と、予め複写機１に登録されたユーザーの情報を記憶した磁気カードが挿入されると、その情報を読み取る磁気カードリーダー１８２と、を有して成る。
【００２１】
次に、上記構成から成る複写機１における原稿複写動作について説明する。複写機１における原稿複写動作では、まず複数枚の原稿が、原稿台１１１に原稿画像面を上にしてセットされると、原稿台センサ１１２により原稿が有ることが検知される。続いて、操作表示部１２の図示していないスタートキーが押下されると、原稿は、一番下の原稿から給送ローラ１１３および搬送ベルト１１４によって、原稿画像取込窓１１６の所定の位置に搬送される。このとき、取込窓センサ１１５は、原稿画像取込窓１１６上に原稿が有ることを検知する。図示していない原稿画像取込手段により該原稿画像の取り込み（画像データの生成）が行われる。そして、原稿画像の取り込みが完了した原稿は、搬送ベルト１１４および排出ローラ１１７によって原稿排出トレイ１１９に排出される。この時、排出原稿センサ１１８は原稿排出トレイ１１９上に原稿が有ることを検知する。
【００２２】
一方、生成された画像データは、一旦メモリ部１５に格納された後、再び読み出されて画像形成部１３に送出される。その後、画像形成部１３では、入力された画像データに基づく用紙への画像形成処理並びに定着処理が行われる。続いて、複写済み用紙は、排紙トレイ１６１に排紙される。このとき、排紙センサ１６２が、複写済み用紙を検知する。そして、原稿台センサ１１２が原稿を検知した場合には、上記と同様に引き続き原稿の複写動作が行われる。
【００２３】
なお、本実施形態の複写機１は、原稿や複写済み用紙の取り忘れを防ぐための報知に関する制御に特徴を有している。そこで、以下では、図を参照しながら、本実施形態の複写機１における原稿や複写済み用紙の取り忘れを防ぐための報知に関する制御について詳細な説明を行う。
【００２４】
まず、複写機１の複写動作完了後における原稿取込部１１の原稿、排紙トレイ１６１上の複写済み用紙、ユーザーの複写機１からの立ち去りおよび交代の有無に関する検出について以下に説明する。
【００２５】
原稿取込部１１上の原稿の検出は、原稿台センサ１１２、取込窓センサ１１５および排出原稿センサ１１８のうち少なくともいずれか１つによって原稿が検知されると、ＣＰＵ１０により原稿取込部１１に原稿有りと判定されることで行われる。
【００２６】
排紙トレイ１６１上の複写済み用紙の検出は、排紙センサ１６２によって原稿が検知されると、ＣＰＵ１０により排紙トレイ１６１に用紙有りと判定されることで行われる。
【００２７】
ユーザーの複写機１からの立ち去りの検出は、検出領域から検出領域外へのユーザーの移動がユーザー検知センサ１８１により検知された後、所定の時間経過しても再びユーザーがユーザー検知センサ１８１によって検知されない場合には、ＣＰＵ１０によりユーザーの立ち去りと判定されることで行われる。
【００２８】
また、ユーザーの交代の検出は、以下のとおりである。まず、複写機１の使用開始時に、ユーザーが該ユーザーの情報の記録された磁気カードを磁気カードリーダー１８２に挿入する。磁気カードリーダー１８２に読み取られたその情報が、予めメモリ部１５に記憶された各ユーザーの情報との照合により、一致したものがあれば、複写機１の使用が許可される。そして、該ユーザーによる複写機１の使用記録がメモリ部１５に記憶される。続いて、複写機１の使用後にユーザーの磁気カードが抜かれ、新たに異なるユーザーの磁気カードが、磁気カードリーダー１８２に挿入され、そのユーザー情報が磁気カードリーダー１８２に読み取られた際に、ＣＰＵ１０によりメモリ部１５に記憶された前回使用したユーザーの記録と照合され、異なるユーザーであれば、ユーザーが交代したと判定されることで行われる。
【００２９】
次に、複写機１の複写動作完了後に、原稿取込部１１の原稿、排紙トレイ１６１上の複写済み用紙、ユーザーの複写機１からの立ち去りおよび交代の有無を検出した際の報知について以下に説明する。図３は、複写機１の複写動作完了後における各検出パターンに対する報知を説明するための図である。
【００３０】
原稿の取り忘れに対する報知において、従来の複写機では、ユーザーの装置からの立ち去りあるいは交代、および原稿取込部の原稿の有無が検出される構成であったため、ユーザーの装置からの立ち去りあるいは交代有り、および原稿取込部に原稿有りと検出された場合には、ユーザーが一時的に複写機から離れたかどうか、ユーザーが完全に装置から立ち去ったあるいは交代したかどうか判断が行えず、前述のように原稿の取り忘れがあることが同様な音声メッセージで報知されていた。
【００３１】
そこで、本発明では、更に、排紙トレイ１６１上の複写済み用紙の有無も検出される構成とし、排紙トレイ１６１上に複写済み用紙が無い場合、つまり図３の検出パターンａのように原稿取込部１１に原稿有り、排紙トレイ１６１上に用紙無し、ユーザーの複写機１からの立ち去りあるいは交代が有り、と検出された場合には、排紙トレイ１６１上に複写済み用紙が取り去られているため、ユーザーが完全に複写機１から立ち去ったあるいは交代したものと判断できる。よって、この場合には、スピーカー１７１から検出パターンｃより大きい音量で、原稿の取り忘れがあることが音声メッセージにより出力される（すなわち、強い報知）。
【００３２】
さらに、排紙トレイ１６１上に複写済み用紙が有る場合、つまり図３の検出パターンｃのように、原稿取込部１１に原稿有り、排紙トレイ１６１上に用紙有り、ユーザーの複写機１からの立ち去りあるいは交代が有り、と検出された場合には、複写済み用紙が取り去られていないため、ユーザーが完全に複写機１から立ち去ったあるいは交代したと考えられず、一時的に離れただけで再び複写機１に戻って来るものと判断できる。よって、この場合には、スピーカー１７１から検出パターンａより小さい音量で、原稿の取り忘れあること、複写済み用紙の取り忘れのあること、または原稿および複写済み用紙の取り忘れがあることが音声メッセージで出力される（すなわち、弱い報知）。
【００３３】
また、複写済み用紙の取り忘れに対する報知において、従来の複写機では、ユーザーの装置からの立ち去りあるいは交代、および排紙トレイ上に複写済み用紙の有無を検出する構成であったため、ユーザーの装置からの立ち去りあるいは交代有り、および排紙トレイ上に複写済み用紙有りと検出された場合には、ユーザーが一時的に装置から離れたかどうか、ユーザーが完全に装置から立ち去ったあるいは交代したかどうか判断が行えず、用紙の取り忘れがあることが同様な音声メッセージで報知されていた。
【００３４】
そこで、本発明では、前述のように、更に原稿取込部１１の原稿の有無も検出される構成となっており、原稿取込部１１に原稿が無い場合、つまり図３の検出パターンｂのように、原稿取込部１１に原稿無し、排紙トレイ１６１上に用紙有り、ユーザーの複写機１からの立ち去りあるいは交代が有り、と検出された場合には、原稿取込部１１に原稿が無いため、ユーザーは、完全に複写機１から立ち去ったあるいは交代したと判断できる。よって、この場合には、スピーカー１７１から検出パターンｃより大きい音量で、原稿の取り忘れがあることが音声メッセージで出力される（すなわち、強い報知）。
【００３５】
また、原稿取込部１１に原稿が有る場合、つまり検出パターンｃのように、原稿取込部１１に原稿有り、排紙トレイ１６１上に用紙有り、ユーザーの複写機１からの立ち去りあるいは交代が有り、と検出された場合には、原稿取込部１１に原稿が取り去られているため、ユーザーは、完全に複写機１から立ち去ったあるいは交代したと考えられず、一時的に離れただけで再び複写機１に戻って来ると判断できる。よって、この場合には、前述のようにスピーカー１７１から検出パターンｂより小さい音量で、複写済み用紙の取り忘れのあること、原稿の取り忘れあること、または原稿および複写済み用紙の取り忘れがあることが音声メッセージで出力される（すなわち、弱い報知）。
【００３６】
また、上記で説明した検出パターンとは異なる場合での報知について以下に説明する。図３の検出パターンｄに示すように、原稿取込部１１に原稿無し、排紙トレイ１６１に用紙無し、ユーザーの複写機１からの立ち去りあるいは交代が有り、と検出された場合には、原稿および用紙の取り忘れは無いため、スピーカー１７１から音声メッセージは出力されない。
【００３７】
また、図３の検出パターンｅに示すように、原稿取込部１１に原稿有り、排紙トレイ１６１に用紙有り、ユーザーの複写機１からの立ち去りあるいは交代が無し、と検出された場合、および図３の検出パターンｆに示すように、原稿取込部１１に原稿有り、排紙トレイ１６１に用紙無し、ユーザーの複写機１からの立ち去りあるいは交代が無し、と検出された場合には、ユーザーは複写機１から離れておらず原稿や用紙を取り忘れたとは考えられないため、スピーカー１７１からの音声メッセージは出力されない。
【００３８】
なお、上記では、ユーザーが一時的に複写機１から離れたと判断された場合とユーザーが完全に立ち去ったあるいは交代したと判断される場合とで異なる報知を行うために、検出パターンに応じて音声メッセージの音量を変更して報知が行われていたが、検出パターンに応じて音声メッセージのメッセージ内容、音量、音の長さおよび音質の少なくともいずれか１つを変化させて音声メッセージに強弱をつけて報知が行われてもよい。
【００３９】
従って、上記に説明したように、本実施形態の複写機１であれば、報知手段に音声メッセージを用いることで、複写機１の動作完了後における原稿や複写済み用紙の取り忘れを防ぐことが可能であるとともに、ユーザーが一時的に複写機１から離れたと判断された場合とユーザーが完全に立ち去ったあるいは交代したと判断される場合と、で音声メッセージに強弱を設けることにより、ユーザーが一時的に複写機１から離れた場合の報知なのか、ユーザーが完全に立ち去ったあるいは交代した場合のいずれの報知であるのか判断することができる。
【００４０】
また、上記では報知手段として音声メッセージを用いた方法を説明したが、発光ダイオードの点灯や発光ダイオードディスプレイへの表示等を利用した視覚的なメッセージを報知手段に用いてもよい。
【００４１】
例えば、音声メッセージの出力を行うスピーカー１７１の代わりに、発光ダイオードディスプレイを複写機１に設ける。前述のように、複写機１の複写動作完了後における原稿取込部１１の原稿、排紙トレイ１６１上の複写済み用紙、ユーザーの複写機１からの立ち去りおよび交代の有無に関する検出が、前述の検出パターンｃのようにユーザーが複写機１から一時的に離れたと判断される場合には、検出パターンａや検出パターンｂのようにユーザーが完全に立ち去ったあるいは交代したと判断される場合よりも、発光ダイオードディスプレイへの報知内容が暗く表示される。
【００４２】
つまり、図３に示すように、ＣＰＵ１０の制御により、検出パターンａの場合には、発光ダイオードディスプレイに検出パターンｃより明るい明るさで、原稿の取り忘れがあることが表示される。検出パターンｂの場合には、発光ダイオードディスプレイに検出パターンｃより明るい明るさで、用紙の取り忘れがあることが表示される。検出パターンｃの場合には、発光ダイオードディスプレイに検出パターンａや検出パターンｂより暗い明るさで、原稿の取り忘れあること、複写済み用紙の取り忘れのあること、または原稿および複写済み用紙の取り忘れがあることが表示される。よって、上記のように検出パターンに応じて発光ダイオードディスプレイの明るさを変更することにより、ユーザーが一時的に複写機１から離れた場合の報知、あるいはユーザーが完全に立ち去ったあるいは交代した場合の報知のいずれであるのか判断することができる。
【００４３】
また、発光ダイオードの点灯を視覚的なメッセージに利用した場合を以下に説明する。図４は、発光ダイオードの点灯による視覚的メーセージを説明するための図である。例えば、図４に示すように、複写機１のスピーカー１７１の代わりに、３個の発光ダイオード１７２を設ける。前述の検出パターンａや検出パターンｂのようにユーザーが完全に立ち去ったあるいは交代したと判断される場合には、検出パターンｃのようにユーザーが複写機１から一時的に離れたと判断される場合よりも、発光ダイオード１７２ａが多く３つとも点灯され、検出パターンｃの場合には、発光ダイオード１７２ｂを１つ点灯される。
【００４４】
なお、上記では、ユーザーが一時的に複写機１から離れたと判断された場合とユーザーが完全に立ち去ったあるいは交代したと判断される場合とで異なった報知を行うために、検出パターンに応じて発光ダイオードディスプレイの明るさ（すなわち、明度）や発光ダイオードの点灯数を変更して報知が行われていたが、検出パターンに応じて視覚的メッセージのメッセージ内容、色相、明度、および彩度の少なくともいずれか１つを変化させて視覚的メッセージに強弱をつけて報知が行なわれてもよい。
【００４５】
従って、上記に説明したように、本実施形態の複写機１であれば、報知手段に視覚的メッセージを用いることで、複写機１の動作完了後における原稿や複写済み用紙の取り忘れを防ぐことが可能であるとともに、原稿や複写済み用紙の取り忘れを防ぐ報知において、ユーザーが一時的に複写機１から離れたと判断された場合とユーザーが完全に立ち去ったあるいは交代したと判断される場合と、で視覚的メッセージに強弱を設けることにより、ユーザーが一時的に複写機１から離れた場合の報知、あるいはユーザーが完全に立ち去ったあるいは交代した場合の報知のいずれであるのか判断することができる。
【００４６】
また、報知手段に前述の音声メッセージと視覚的メッセージを同時に用いてもよい。これにより、複写機１の動作完了後における原稿および複写済み用紙の取り忘れを防止する効果を更に上げることが可能となる。
【産業上の利用可能性】
【００４７】
本発明は、複写機の他にも、ファクシミリなどの画像形成装置に全般に広く適用が可能であり、その装置の利用後における原稿および印刷済み用紙の取り忘れ防止に有用な技術である。
【図面の簡単な説明】
【００４８】
【図１】は、本発明に係る複写機の要部構成を示すブロック図である。
【図２】は、本発明に係る複写機の要部構造を模式的に示す縦断面図である。
【図３】は、複写機の複写動作完了後における各検出パターンに対する報知内容を説明するための図である。
【図４】は、発光ダイオードの点灯による視覚的メーセージを説明するための図である。
【符号の説明】
【００４９】
１    複写機
１０    中央演算処理装置（ＣＰＵ）
１１    原稿取込部
１１０    原稿搬送部
１１１    原稿台
１１２    原稿台センサ
１１３    搬送ローラ
１１４    搬送ベルト
１１５    取込窓センサ
１１６    原稿画像取込窓
１１７    排出ローラ
１１８    排出原稿センサ
１１９    原稿排出トレイ
１２    操作表示部
１３    画像形成部
１３１    プリント部
１３２    定着部
１４    給紙部
１５    メモリ部
１６    排紙部
１６１    排紙トレイ
１６２    排紙センサ
１７    メッセージ出力部
１７１    スピーカー
１７２    発光ダイオード
１８    ユーザー検出部
１８１    ユーザー検知センサ
１８２    磁気カードリーダー
【図１】
2006011026.tif 000003
【図２】
2006011026.tif 000004
【図３】
2006011026.tif 000005
【図４】
2006011026.tif 000006